(57)【要約】【課題】簡易な構成にて高い抜去力ないしは固定強度を維持できるようにする。【解決手段】物品５を被取付部材４に取り付けるもので、脚部１５及び脚部の上側に設けられたフランジ部１０並びにフランジ部から脚部１５に貫通された挿入孔１６を有したグロメット１と、頭部２０及び該頭部に突設された軸部２４を有したピン部材２とを備え、軸部２４をグロメット１の挿入孔１６に押入し抜け止めすることにより被取付部材４に設けられた凹部４ａに脚部１５を拡径して係合し、物品５を頭部２０とフランジ部１０との間に挟持するクリップ３であって、グロメットの脚部１５は、凹部４ａの内周面に圧接ないしは喰い付く突起１８（又は１９）を外周に有している。【選択図】図３
2014020546.tif 000002
【特許請求の範囲】
【請求項１】
物品を被取付部材に取り付けるもので、脚部及び該脚部の上側に設けられたフランジ部並びに該フランジ部から脚部に貫通された挿入孔を有したグロメットと、頭部及び該頭部に突設された軸部を有したピン部材とを備え、前記軸部を前記グロメットの挿入孔に押入し抜け止めすることにより前記被取付部材に設けられた凹部に前記脚部を拡径して係合し、前記物品を前記頭部と前記フランジ部との間に挟持するクリップであって、
前記グロメットの脚部は、前記凹部の内周面に圧接ないしは喰い付く突起を外周に有していることを特徴としていることを特徴とするクリップ。
【請求項２】
前記ピン部材の軸部は周囲に係止爪を有していると共に、前記グロメットのフランジ部は前記脚部を突出している下フランジ部、及び前記下フランジ部と間隔を保って並設されて前記物品を前記頭部との間で挟持する上フランジ部の二段構成からなり、前記係止爪が前記上下フランジ部の間の空間に収まった状態で前記上フランジ部に係止されることを特徴とする請求項１に記載のクリップ。
【請求項３】
前記突起は、前記脚部外周の複数箇所に設けられて、前記脚部の延出方向に対し交差する方向に突出していることを特徴とする請求項１又は２に記載のクリップ。
【請求項４】
前記軸部は、前記頭部に開口した略筒形をなし、前記頭部から軸部先端側に向かって設けられた逆Ｕ字形のスリットにより区画されて軸部先端側を支点として揺動可能な一対の片部を有し、前記各片部が前記係止爪と共に上側の解除操作部を形成していることを特徴とする請求項２又は３に記載のクリップ。
【請求項５】
前記解除操作部は、前記頭部に設けられた開口内に配置されていることを特徴とする請求項４に記載のクリップ。
【請求項６】
請求項１から５のいずれかのクリップを用いて、前記グロメットを前記被取付部材の凹部に仮止めした後、前記フランジ部に前記物品を配置し、前記ピン部材の軸部を前記物品に設けられた貫通孔から前記グロメットの挿入孔に押入し抜け止めすることで前記グロメットを前記凹部に本止めし、かつ前記物品を前記頭部と前記フランジ部とで挟持することを特徴とする物品の取付構造。
【発明の詳細な説明】
【技術分野】
【０００１】
本発明は、１以上の物品を被取付部材に取り付けるためのクリップ及びそれを用いた物品の取付構造に関する。
【背景技術】
【０００２】
図８は特許文献１に開示のクリップを用いた物品の取付構造を示している。この取付構造では、物品（例えば、遮蔽ないしは保護用のプロテクター）３を被取付部材（例えば、車両用燃料タンク）２に取り付けるもので、脚部４３及び該脚部の上側に設けられたフランジ部４２並びに該フランジ部から脚部に設けられた中空部４５を有したグロメット（第一留め具）４１と、頭部６２及び該頭部に立設された軸部６３を有したピン部材（第二留め具）６２と、グロメット４１の先端に挿通されて被取付部材２に設けられた凹部２１に配置されるプッシュナット３１とからなり、物品３を頭部６２とフランジ部４２との間に挟持する構成である。
【０００３】
グロメット４１は、脚部４３と反対方向にフランジ部４１に立設する筒状部４４、及び筒状部４４に穿設された係合孔４４ａを有している。また、ピン部材６２は、軸部６３に形成された係合片６８及び係合片６８に形成されて係合孔４４ａに係止される係合突起６８ａを有している。これに対し、プッシュナット３１は、グロメット４１の先端が挿通される軸孔を形成している基板３２と、基板３２の内側に形成され凹部２１の底部に向かうに従って前記軸孔の中心方向に傾斜する第一係合爪３３と、基板３２の外側に形成され凹部２１の底部から離れるに従って軸孔３５の中心から離間する方向に傾斜する第二係合爪３４とを有し、グロメット４１の先端と第一係合爪３３とが係合すると共に、凹部２１と第二係合爪３４とが係合する。
【先行技術文献】
【特許文献】
【０００４】
【特許文献１】特開２０１２−６７８１０号公報
【発明の概要】
【発明が解決しようとする課題】
【０００５】
上記特許文献１の構造では、グロメットの中空部４５にピン部材６２を押入すると、係合突起６８ａが係合孔４４ａに係止されて物品３を頭部６２とフランジ部４２との間に挟持可能となり、また、プッシュナット３１の第一係合爪３３及び第二係合爪３４が軸孔の中心方向に傾斜しているため凹部２１内にスムーズに押し込むことができ、物品３に外れ方向の外力が加わった際には第一係合爪３３がグロメット４１に食い込むよう係合し、第二係合爪３４が被取付部品の凹部２１に喰い込むよう係合するため結合強度を向上できるとされている。
【０００６】
ところが、以上の構造では、グロメット４１及びピン部材６１と共にプッシュナット３１も必要となるため取扱性が煩雑化し、重量が増したりコスト高となる。そこで、本発明の目的は、プッシュナットを用いることなく、つまり２部品という簡易な構成にて高い抜去力ないしは固定強度を維持できるようにすることにある。他の目的は以下の内容説明のなかで明らかにする。
【課題を解決するための手段】
【０００７】
上記目的を達成するため本発明は、物品を被取付部材に取り付けるもので、脚部及び該脚部の上側に設けられたフランジ部並びに該フランジ部から脚部に貫通された挿入孔を有したグロメットと、頭部及び該頭部に突設された軸部を有したピン部材とを備え、前記軸部を前記グロメット１の挿入孔に押入し抜け止めすることにより前記被取付部材に設けられた凹部に前記脚部を拡径して係合し、前記物品を前記頭部と前記フランジ部との間に挟持するクリップであって、前記グロメットの脚部は、前記凹部の内周面に圧接ないしは喰い付く突起を外周に有していることを特徴としている。
【０００８】
以上の本発明は、請求項２〜６で特定したように具体化されることがより好ましい。
（ア）、前記ピン部材の軸部は周囲に係止爪を有していると共に、前記グロメットのフランジ部は前記脚部を突出している下フランジ部、及び前記下フランジ部と間隔を保って並設されて前記物品を前記頭部との間で挟持する上フランジ部の二段構成からなり、前記係止爪が前記上下フランジ部の間の空間に収まった状態で前記上フランジ部に係止される構成である（請求項２）。
（イ）、前記突起は、前記脚部外周の複数箇所に設けられて、前記脚部の延出方向に対し交差する方向に突出している構成である（請求項３）。なお、突起の形状は、図１や図７の各（ｂ）に示されるごとく先端が鋭角になっていることが好ましい。
【０００９】
（ウ）、前記軸部は、前記頭部を開口した略筒形をなし、前記頭部から軸部先端側に向かって設けられた逆Ｕ字形のスリットにより区画されて軸部先端側を支点として揺動可能な一対の片部を有し、前記各片部が前記係止爪と共に上側に解除操作部を形成している構成である（請求項４）。
（エ）、前記解除操作部は、前記頭部に設けられた開口内に配置されている構成である（請求項５）。
（オ）、物品の取付構造としては、請求項１から５のいずれかのクリップを用いて、前記グロメットを前記被取付部材の凹部に仮止めした後、前記フランジ部に前記物品を配置し、前記ピン部材の軸部を前記物品に設けられた貫通孔から前記グロメットの挿入孔に押入し抜け止めすることで前記グロメットを前記凹部に本止めし、かつ前記物品を前記頭部と前記フランジ部とで挟持する構成である（請求項６）。
【発明の効果】
【００１０】
請求項１の発明では、図３に例示されるごとく、グロメットの脚部が被取付部材の凹部に配置された状態でピン部材の軸部の押入により拡径変位されると、外周の突起が凹部の内周面に略水平方向から圧接ないしは喰い付くため、凹部に対する脚部の係合力に加え突起の喰い付き力も働いて高い抜去力ないしは固定強度を付与できる。これにより、本発明のクリップは、特許文献１に比べて抜去力ないしは固定強度を維持しながら、部材数を減らし、軽量化及びコスト低減を実現できる。
【００１１】
請求項２の発明では、特に、グロメットのフランジ部が上下フランジ部の二段構成からなり、係止爪が上下フランジ部の間の空間に収まっているため係止状態を安定かつ確実に維持できる。
【００１２】
請求項３の発明では、突起が脚部外周の複数箇所に設けられて脚部の延出方向に対し交差する方向に突出しているため、上記した凹部の内周面に対する喰い付き力をより確実に増大できる。
【００１３】
請求項４の発明では、物品を被取付部材に取り付けた状態から、解除操作部を内側に押して各片部を揺動操作することにより係止爪の係止を解除してピン部材をグロメットの挿入孔より引き抜くことができる。更に、請求項５の発明では、解除操作部が頭部に設けられた開口内に配置されているため前記の揺動操作を効率よく行うことができる。
【００１４】
請求項６の発明では、グロメットを被取付部材の凹部に差込操作にて仮止めし、仮止めしたグロメットのフランジ部上に物品を配置し、ピン部材を物品の貫通孔からグロメットの挿入孔に押入操作する、つまり何れもが単純な操作にて行える。このため、この取付構造では、以上のクリップの利点に加え、特に、物品を多数のクリップを使用して被取付部材に取り付けるような場合に作業効率も向上できる。
【図面の簡単な説明】
【００１５】
【図１】形態のクリップを示し、（ａ）はグロメットとピン部材の関係を示す斜視図、（ｂ）はＡ部の拡大図である。
【図２】上記クリップを用いて物品を被取付部材に取り付けるときの操作要領を示す断面図である。
【図３】被取付部材に対する物品の取付状態を示す断面図である。
【図４】上記グロメットの細部を示し、（ａ）は下面図、（ｂ）は（ａ）のＢ方向から見た図、（ｃ）は（ａ）のＣ方向から見た図である。
【図５】（ａ）は図４（ａ）のＤ−Ｄ線断面図、（ｂ）は図４（ａ）のＥ−Ｅ線断面図、（ｃ）は図４（ａ）のＦ部拡大図、（ｄ）は図４（ａ）のＧ部拡大図である。
【図６】上記ピン部材の細部を示し、（ａ）は上面図、（ｂ）は（ａ）のＨ方向から見た図、（ｃ）は（ａ）のJ−J線に沿った半断面図である。
【図７】上記クリップの変形例を図１に対応して示し、（ａ）はグロメットとピン部材の関係を示す斜視図、（ｂ）はＡ１部の拡大図である。
【図８】特許文献１の物品の取付構造を示し、（ａ）は被取付部材に対する物品の取付状態を示す断面図、（ｂ）は分解図である。
【発明を実施するための形態】
【００１６】
以下、本発明の形態について添付図面を参照しながら説明する。この説明では、クリップの構造、物品を被取付部材に取り付ける使用例、変形例の順で詳述する。
【００１７】
（構造）形態のクリップ３は、図１から図３に示されるごとく１以上の物品５を被取付部材４に取り付けるときに用いられるものであり、互いに係脱可能に連結される雌タイプのグロメット１と、グロメット１に差し込まれる雄タイプのピン部材２からなる。グロメット１及びピン部材２は共に樹脂の射出成形体である。
【００１８】
まず、グロメット１は、拡径変位可能な脚部１５と、脚部１５の上側に設けられたフランジ部１０と、フランジ部１０から脚部１５に貫通された挿入孔１６と、脚部１５の外周に突設された複数の突起１８とを有している。
【００１９】
このうち、フランジ部１０は、概略円盤状をなし、物品５を頭部２０との間で挟持する上フランジ部１１、及び上フランジ部１１と間隔を保って並設されて脚部１５を突設している下フランジ部１２の二段構成からなり、中心にあってフランジ部１０から脚部１５に貫通された挿入孔１６を有している。上フランジ部１１と下フランジ部１２との間の空間１３は、挿入孔１６を挟んで対向している長いリブ１４ａで仕切られている。各リブ１４ａには、中間外側に設けられた短いリブ１４ｂが接続されている。符号１３ａは、上フランジ部１１と下フランジ部１２との間にあって、リブ１４ａとリブ１４ｂとで仕切られた小空間である。また、下フランジ部１１の下面には、２つの当接用リブ１２ａが脚部１５を挟んで対向して突設されている。
【００２０】
脚部１５は、全体が概略筒形で、縦スリット１５ａを介して６つの係合片１７に分割されている。各係合片１７は突起１８の有無などから２種類に分けられる。すなわち、この脚部１５は、突起１８を外周に突設していない係合片１７Ａと、突起１８を外周に突設している係合片１７Ｂとを交互に配置した構成となっている。係合片１７Ａ及び１７Ｂは、ほぼ同じ幅及び長さ寸法であるが、図５（ａ）,（ｂ）に示されるごとく次のような点が異なっている。
【００２１】
すなわち、内周は、係合片１７Ａの方がほぼ平坦面となっているのに対し係合片１７Ｂの方が内先端側が内方向へ張出している。このため、この例では、図３のごとく後述するピン部材２の軸部２４が脚部１５内に押入されるとその張出分だけ係合片１７Ｂの方が係合片１７Ａに比べて大きく拡径される。外周は、図４（ｂ）,（ｃ）のごとく係合片１７Ｂの方がほぼ平坦面となっているのに対し係合片１７Ａの方が外先端側が外方向へ張出している。この外方向への張出量は突起１８の突出寸法と略同じくなっている。また、各係合片１７Ｂの突起１８は、概略円錐状に形成されていると共に、脚部１５ないしは係合片１７Ｂの延出方向に対し交差する方向で、係合片１７の外周面に対して斜めに傾斜した状態に突出されている。この突起１８の傾斜角は形成金型の型抜きとの関係で決められる。
【００２２】
これに対し、ピン部材２は、図１及び図６に示されるごとく上側の頭部２０と、頭部２０の下面に立設された軸部２４と、軸周囲に設けられ係止爪２５ｂとを有している。頭部２０はフランジ部１０とほぼ同じ大きさの円板状からなる。頭部２０は、軸部２４に対応して設けられた開口２１により上下貫通されている。この開口２１の一部は軸部２４の筒内に通じている。
【００２３】
すなわち、軸部２４は、頭部２０の開口２１に開放された略筒形をなし、頭部２０から軸部先端側に向かって設けられた逆Ｕ字形のスリット２７により区画されて軸部先端２５ａ側を支点として揺動可能な一対の片部２５を有している。符号２３は軸部２４の筒形の孔を示している。この孔２３は、軸部先端が径小の孔２３ａとなっている。
【００２４】
また、各片部２５を除く軸部２４は、先端側で最小径の部分２４ａと、略中間部で頭部側に近づくほど径大となる傾斜部分２４ｂと、そこから頭部２０までの最大径の部分２４ｃとからなる。これに対し、各片部２５は、部分２５ａに対応する最小径の部分２４ａと、傾斜部分２５ｂに対応する箇所で一段大きく外側へ突出した係止爪２５ｂと、部分２５ｃに対応する最大径の部分２４ｃと、部分２４ｃに接続された解除操作部２６とからなる。各片部の解除操作部２６は、部分２４ｃに対し略Ｌ形の水平部分に相当し、開口２１内に配置されている。そして、各解除操作部２６は、図３の状態から、開口２１の空間を利用して指などで互いに近づく方向へ押されると、上フランジ部１１に対する係止爪２５ｂの係止を解除可能にする。
【００２５】
（使用例）次に、以上のクリップ３を用いて物品５を被取付部材４に取り付ける手順例について述べる。図２及び図３において、被取付部材４は自動車の燃料タンクを想定し、物品５は保護兼用の断熱材を想定している。被取付部材４である燃料タンクは、樹脂成形体であり、物品５を取り付ける箇所に設けられた多数の凹部４ａを有している（図面では単一の凹部４ａとなっている）。各凹部４ａは、穴上側が穴下側よりも穴幅寸法を小さいアンダーカット形状となっている。物品５である保護兼用断熱材は、ガラス綿製板材６の外側にアルミニウム製板材７を一体化している。物品１５には、貫通孔１５ａが凹部４ａに対応して穿設されている。なお、被取付部材４及び物品５は、燃料タンクと保護兼用の断熱材に限られることなく、一方部材を他方部材に連結したり取り付ける関係であればよい。
【００２６】
（１）図２は、グロメット１を被取付部材４の凹部４ａに仮止めした後、物品５を上フランジ部１１に配置した状態を示している。すなわち、被取付部材４の各凹部４ａには、対応するグロメット１が脚部１５を介してそれぞれ仮止めされる。この操作は、例えば、上フランジ部１１を指などにより掴んで、下フランジ部１２のリブ１２ａが被取付部材４に当たるまで脚部１５を凹部内に差し込む。すると、グロメット１は、凹部４ａの内周面に係合片１７Ｂの突起１８及び係合片１７Ａの先端張出部が同図のごとく軽く圧接した状態で仮止めされる。その後、物品５は、貫通孔５ａがグロメット側挿入孔１６に重なるようにして上フランジ部１１上に位置決め配置される。
【００２７】
（２）図３は、ピン部材２の軸部２４を図２の状態から物品５の貫通孔５ａ及びグロメットの挿入孔１６に最終段階まで押入した物品の取付状態を示している。すなわち、ピン部材２は、軸部２４が貫通孔５ａから挿入孔１６の途中まではスムースに挿入され、上記した係合片１７Ｂの内先端側の張出部に当たり、又／及び、係止爪２５ｂが上フランジ部１１の挿入孔１６を形成している孔縁部に当たった後、係止爪２５ｂを片部２５を介して弾性的に縮径しつつ、かつ、係合片１７Ｂ（形状によっては係合片１７Ｂ及び１７Ａ）を弾性的に拡径しながら、頭部側のリブ２０ａが物品５に当たりまで押入操作される。
【００２８】
（３）リブ２０ａが物品５に当接されると、まず、脚部１５つまり係合片１７Ａ，１７Ｂは、軸部２４の押入により拡径し、それにより各突起１８が凹部４ａの内周面に略水平方向から圧接ないしは喰い付く。このため、グロメット１は、凹部４ａに対して、脚部１５を構成している係合片１７Ａ，１７Ｂの係合力と、複数の突起１８の喰い付き力とが働いて、高い抜去力ないしは固定強度を付与できる。勿論、この点は、凹部４ａが上記したアンダーカット形状となっているため更に高い抜去力ないしは固定強度となる。
（４）同時に、係止爪２５ｂは、上フランジ部１１の挿入孔１６を形成している孔部を通過し、通過と同時に元の形状に弾性復帰して空間１３内に収まると共に上フランジ部１１に抜け止め係止される。このため、ピン部材２は、グロメット１に対する係止状態を空間１３内に収まっている係止爪２５ｂにより安定かつ確実に維持できる。
【００２９】
（５）換言すると、以上のクリップ３を用いて物品５を被取付部材４に取り付ける場合は、グロメット１を被取付部材４の凹部４ａに差込操作にて仮止めすること、仮止めしたグロメット１のフランジ部１０の上フランジ部１１に物品５を載せるようにして配置すること、ピン部材２を物品５の貫通孔５ａからグロメット１の挿入孔１６に押入操作する、つまり何れもが単純な操作にて行える。このため、この取付構造では、ロボットハンドなどによる自動化も採用し易くなり、特に、物品を多数のクリップを使用して被取付部材に取り付けるような場合に作業効率を向上できる。
【００３０】
（６）また、以上のクリップ３では、物品５を被取付部材４に取り付けた図３の状態から、メンテナンスなどで取り外す場合、開口２１内の解除操作部２６を指などで内側に押して各片部２５を揺動操作すると、上フランジ部１１に対する係止爪２５ｂの係止が解除されるため、ピン部材２をグロメット１の挿入孔１６より簡単に引き抜くことができる。
【００３１】
（変形例）図７は以上のグリップにおいて突起の形状を変更した変形例を示している。この説明では、上記形態と同じ箇所に同一符号を付し変更点だけを明らかにする。すなわち、図７のクリップ１において、各係合片１７Ｂの突起１９は、概略三角形に形成されており、脚部１５を構成している各係合片１７Ａ,１７Ｂが被取付部材４の凹部４ａ内で拡径されると、三角形の角部が凹部４ａの内周面に喰い付き易い形状となっている。このように本発明は、上記形態に制約されるものではなく、請求項で特定された要件を除いて適宜に変更可能なものである。
【符号の説明】
【００３２】
１・・・グロメット
２・・・ピン部材
３・・・クリップ
４・・・被取付部材（４ａは凹部）
５・・・物品（５ａは貫通孔）
１０・・・フランジ部（１１は上フランジ部、１２は下フランジ部）
１３・・・空間（１３ａは小空間）
１５・・・脚部（１７，１７Ａ，１７Ｂは係合片）
１７，１７Ａ，１７Ｂ・・・係合片
１８，１９・・・突起
２０・・・頭部（２１は開口）
２４・・・軸部（２７はスリット）
２５・・・片部（２５ｂは係止爪、２６は解除操作部）
【図１】
2014020546.tif 000003
【図２】
2014020546.tif 000004
【図３】
2014020546.tif 000005
【図４】
2014020546.tif 000006
【図５】
2014020546.tif 000007
【図６】
2014020546.tif 000008
【図７】
2014020546.tif 000009
【図８】
2014020546.tif 000010